(57)【特許請求の範囲】
【請求項１】
巻取給紙部、インフィード部、印刷部、乾燥部、折部等からなる輪転印刷機において、
前記折部は少なくとも断裁胴、折胴、くわえ胴を有し、
前記折胴とくわえ胴の間に、前記折胴とくわえ胴の外周に沿って設けられた、折丁の挙動を安定させるガイドと、
該折胴とくわえ胴とガイドで囲まれた部分のフレームに設けられた窓部と、
胴の軸方向真横から該折胴とくわえ胴とガイドで囲まれた部分を撮影するストロボカメラと、
エンコーダより出力される信号と、ストロボカメラの撮影間隔とを同調させる演算・制御手段と、
撮影された画像を表示する表示手段と、
を具備することを特徴とする巻取輪転印刷機用折部監視装置。
【請求項２】
前記撮影された画像を演算装置にて二値化処理し記憶する手段と、
予め二値化され記憶手段に記憶されている正常値と前記撮影された画像の二値化された値とを比較する手段と、
比較し許容範囲を越えた場合、異常であることを知らせる手段と、
を具備することを特徴とする請求項１記載の巻取輪転印刷機用折部監視装置。
【請求項３】
前記異常の場合、異常の内容を表示又は／及び知らせる手段を具備することを特徴とする請求項２記載の巻取輪転印刷機用折部監視装置。
【発明の詳細な説明】
【０００１】
【発明の属する技術分野】
本発明は、巻取を用いる輪転印刷機の折機の折胴とくわえ胴とガイドで囲まれた部分の折丁の挙動を監視する巻取輪転印刷機用折部監視装置に関する。
【０００２】
【従来の技術】
従来より、折精度の検査（監視）装置は種々あるが、フォーマ部の上部にある引張りローラ及び紙押さえローラの部分で用紙の左右のずれを検査する装置やチョッパ折部の前後で検査する装置がほとんどであった。また最終的に折丁となってから寸法を測定したりして折精度の検査をしていた。
しかし、従来の方法では折丁のコスレ、ヤブレ、端折れ等を検出するのが難しく、また検出できたとしても原因となる部分をチェックしてないので、対応が遅れるという問題点があった。
【０００３】
【発明が解決しようとする課題】
本発明は、上記問題点を解決すべく、コスレ、ヤブレ、端折れ等の原因となる部分を監視し、コスレ、ヤブレ、端折れ等を防止可能な巻取輪転印刷機用折部監視装置を提供することを課題とする。
【０００４】
【課題を解決するための手段】
請求項１に記載の発明は、巻取給紙部、インフィード部、印刷部、乾燥部、折部等からなる輪転印刷機において、前記折部は少なくとも断裁胴、折胴、くわえ胴を有し、前記折胴とくわえ胴の間に、前記折胴とくわえ胴の外周に沿って設けられた、折丁の挙動を安定させるガイドと、該折胴とくわえ胴とガイドで囲まれた部分のフレームに設けられた窓部と、胴の軸方向真横から該折胴とくわえ胴とガイドで囲まれた部分を撮影するストロボカメラと、エンコーダより出力される信号と、ストロボカメラの撮影間隔とを同調させる演算・制御手段と、撮影された画像を表示する表示手段と、を具備することを特徴とする巻取輪転印刷機用折部監視装置である。このような構成とすることにより、従来検出の難しかったコスレ、ヤブレ、端折れ等の検出が可能となった。また、前記コスレ、ヤブレ、端折れ等の原因となる部分を監視するので、トラブルが発生しても迅速な対応が可能になる。
【０００５】
請求項２に記載の発明は、前記撮影された画像を演算装置にて二値化処理し記憶する手段と、予め二値化され記憶手段に記憶されている正常値と前記撮影された画像の二値化された値とを比較する手段と、比較し許容範囲を越えた場合、異常であることを知らせる手段とを具備する請求項１記載の巻取輪転印刷機用折部監視装置である。
このような構成とすることにより、異常が発生した場合、音，光，表示画面等の一つ又はそれらの組み合わせで異常を知らせるので、迅速な処置が行える。
【０００６】
請求項３に記載の発明は、前記異常の場合、異常の内容を表示又は／及び知らせる手段を具備する請求項２記載の巻取輪転印刷機用折部監視装置である。
このような構成とすることにより、異常内容を例えば「折丁小口側の捲れ」又は「折丁とガイド間のコスレ」と表示又は／及び知らせることができ、より異常に対する対応が迅速にできる。
【０００７】
【発明の実施の形態】
実施の形態を図面を用いて詳細に説明する。
図１は本発明の巻取輪転印刷機用折部監視装置の要部の構成を説明するための概念図である。折部１はフォーマ部２、断裁胴３、折胴４、くわえ胴５、ガイド６、減速胴７、チョッパ折部８からなる。フォーマ部２、減速胴７、チョッパ折部８は無い場合もあり、必須の構成ではないが、標準的な構成なので付いているもので説明する。図４を用いて用紙１６が折られて折丁９となる工程を説明する。（折丁とは折られて断裁された以降を呼ぶ）
図４（イ）は用紙１６が印刷され流れ方向Ｘに進んでいる状態を示すが、通常頁単位に印刷されており、断裁線１７及び折込線１８，１９，２０が割り付けされている。図４（イ）の状態でフォーマ部２を通過すると図４（ロ）のように用紙１６の折込線１８から折られ、流れ方向Ｘに対して半分の幅になる。次いで断裁胴３で断裁され図４（ハ）の状態になり、折胴４で折られると同時にくわえ胴５でくわえた状態が折丁９である。その後、図４（ニ）の状態で減速胴７に受け渡すし、さらにチョッパ折部８で折込線２０で半分に折られる。
【０００８】
図２は本発明の巻取輪転印刷機用折部監視装置の要部の構成を説明するための概念図である。図１に折機フレーム１１を示し、図１の折胴４とくわえ胴５とガイド６で囲まれた部分１０の折丁９の受け渡し部が見えるように窓部１２設けたものである。（フォーマ部は省略した）
【０００９】
図３は本発明の巻取輪転印刷機用折部監視装置の要部の構成を説明するための概念図である。図３は図２の側面方向から見た状態を示す説明図である。窓部１２の近隣に、前記折胴４とくわえ胴５とガイド６で囲まれた部分１０を真横から撮影可能な位置にストロボカメラ１３を固定した。図では省略してあるが、エンコーダより出力された信号を演算・制御及び記憶装置に採り込み、ストロボカメラの撮影間隔と同調させる。その撮影画像をＣＲＴ等の表示装置に表示する。
【００１０】
作業者が撮影された画像を見て、折丁９の逆くの字の形状とガイド等の状態が正しいかどうかチェック可能であるが、前記撮影された画像を演算・制御及び記憶装置１４にて二値化処理し、予め二値化され記憶装置に記憶されている正常値と前記撮影された画像の二値化された値とを比較し許容範囲を越えた場合、異常であることを知らせる音，音声、光、ＣＲＴ表示等で知らせるようにすれば、作業者が他の作業等に就くことができる。
また、異常の発生した場合、異常の内容を例えば「折丁の小口側の捲くれ」、「折丁とガイド間のコスレ」等と表示又は音，音声、光等で知らせることも可能である。
【００１１】
以上説明したように、本発明の巻取輪転印刷機用折部監視装置は、従来監視（検査）していない、前記折胴４とくわえ胴５とガイド６で囲まれた部分１０にある折丁９を監視するという新規なアイデアによりなるものである。折丁のコスレ、ヤブレ、端折れ等の原因となる部分を監視することにより、異常を検出にすばやくアクションを取ることを可能にする。
【００１２】
また、印刷機については市販の巻取輪転印刷機で、折部が断裁胴、折胴、くわえ胴を基本構成とするものであれば、オフセット輪転印刷機、活版輪転印刷機、グラビア輪転印刷機等で本発明の巻取輪転印刷機用折部監視装置が使用可能である。
【００１３】
【実施例】
以下図面を用いて実施例を説明する。Ａ全判の多色オフセット輪転印刷機（４色＋４色）の折部に図１〜３に示す様に、折胴４とくわえ胴５とガイド６で囲まれた部分１０の真横の折機フレーム１１に窓部１２を設け、ストロボカメラ１３をフレーム１１に固定した。エンコーダを折胴４の軸に取付け信号を採り、演算・制御及び記憶装置１４に取り込み、ストロボの周波数を折丁の撮影間隔と同調させた。撮影した折丁を二値化処理し、予め二値化処理して記憶装置に記憶している基準値と比較し、許容範囲を越えた場合、パトライトを点灯しブザーが鳴るようにした。特に、折丁とガイドとの接触状況が監視でき、適切なガイド形状の設定等にも威力を発揮した。
【００１４】
【発明の効果】
請求項１の発明は、従来検出の難しかったコスレ、ヤブレ、端折れ等の検出が可能となった。また、前記コスレ、ヤブレ、端折れ等の原因となる部分を監視するので、トラブルが発生しても迅速な対応が可能になった。
【００１５】
請求項２に記載の発明は、異常が発生した場合、音，光，表示画面等の一つ又はそれらの組み合わせで異常を知らせるので、作業者が他の作業に就いていても迅速な処置が行える。
【００１６】
請求項３に記載の発明は、異常内容を例えば「折丁小口側の捲れ」又は「折丁とガイド間のコスレ」と表示又は／及び知らせることができ、より異常に対する対応が迅速にできる。
【００１７】
【図面の簡単な説明】
【図１】本発明の巻取輪転印刷機用折部監視装置の要部を説明するための図である。
【図２】本発明の巻取輪転印刷機用折部監視装置の要部を説明するための図である。
【図３】本発明の巻取輪転印刷機用折部監視装置の要部を説明するための図である。
【図４】（イ），（ロ），（ハ），（ニ）は用紙の  折機での折り方を順に示す説明図である。
【符号の説明】
１…折部  ２…フォーマ部  ３…断裁胴  ４…折胴  ５…くわえ胴  ６…ガイド７…減速胴  ８…チョッパ折部  ９…折丁  １０…折胴とくわえ胴とガイドで囲まれた部分  １１…折機フレーム  １２…窓部  １３…ストロボカメラ  １４…演算・制御及び記憶装置  １５…表示装置  １６…用紙  １７…断裁線  １８、１９、２０…折込線
【図１】
0003661383.tif 000002
【図２】
0003661383.tif 000003
【図３】
0003661383.tif 000004
【図４】
0003661383.tif 000005